(57)【特許請求の範囲】
【請求項１】
基台上面に形成され、靴を前後又は左右に移動させることで靴底面を擦りつけることのできる凸状の湾曲面と、
この湾曲面に形成され、前記靴に当接する複数の突起と、
前記湾曲面の頂部に形成された洗浄水の供給口と、
前記突起と突起の間に形成され、前記供給口から供給された前記洗浄水を一時的に貯留し、前記洗浄水の水流面を、前記湾曲面の全体に亘って前記突起と同じ高さに維持するための洗浄水貯留部と、
を有することを特徴とする靴等の洗浄器具。
【請求項２】
前記湾曲面が、凸状の部分球面として形成されていて、かつ、前記洗浄水の供給口を前記部分球面の頂部に配置したことを特徴とする請求項１に記載の靴等の洗浄器具。
【請求項３】
前記突起の高さを、前記湾曲面の中央から周囲に向けて徐々に、又は段階的に変化させたことを特徴とする請求項１又は２に記載の靴等の洗浄器具。
【請求項４】
前記突起の密度を、前記湾曲面の中央から周囲に向けて徐々に又は段階的に変化させたことを特徴とする請求項１〜３のいずれかに記載の靴等の洗浄器具。
【請求項５】
前記湾曲面の周縁部を、他の部位よりも鉛直面に近い傾斜角で形成し、この周縁部に前記突起を形成したことを特徴とする請求項１〜４のいずれかに記載の靴等の洗浄器具。
【請求項６】
前記湾曲面の一部に突起を有しない平滑部を形成したことを特徴とする請求項１〜５のいずれかに記載の靴等の洗浄器具。
【請求項７】
前記基台が石材で形成されていることを特徴とする請求項１〜６のいずれかに記載の靴等の洗浄器具。
【発明の詳細な説明】
【技術分野】
【０００１】
本発明は、長靴や安全靴等の作業靴、登山靴，ゴルフシューズ，サッカーシューズ及び野球スパイク等のスポーツ靴、サンダル，草履，一般靴等の履物（以下、これらを総称して「靴等」と記載する）に付着した泥や土，草，砂利（以下、泥等と記載する）を、手を使わずに水洗いして除去させるとことができる靴等の洗浄器具に関する。
【背景技術】
【０００２】
プレイ後のゴルフシューズ等に付着している土や泥、あるいは草の葉等を除去するには、靴を履いたままの足を、片方ずつ、網板もしくは針山状の支持板上に乗せ、水道水等を靴に掛けつつ、ブラシで擦るか、あるいは、回転する複数のブラシの間へ靴を挿入して、靴の表面をブラシで擦らせるのが一般的であった。
しかし、上述したブラシによる洗浄は、利用者が片足立ちしなければならず、体勢が不安定になり、特に高齢者にとっては困難で危険な作業でもある。
また、靴底を水に浸した状態で、ブラシを回転又は振動させて靴底を洗浄する靴洗浄装置があるが、このような装置は複雑かつ大型で価格も高いという問題がある（例えば特許文献１参照）
【特許文献１】実用新案登録第３１４８８４６号公報
【発明の開示】
【発明が解決しようとする課題】
【０００３】
本発明は上記の問題に鑑みてなされたもので、少量の洗浄水で簡単に靴等の洗浄ができ、洗浄効果が高く構成も簡単な靴等の洗浄器具の提供を目的とする。
【課題を解決するための手段】
【０００４】
上記課題を解決するために、請求項１に記載の靴等の洗浄器具は、基台上面に形成され、靴を前後又は左右に移動させることで靴底面を擦りつけることのできる凸状の湾曲面と、この湾曲面に形成され、前記靴に当接する複数の突起と、前記湾曲面の頂部に形成された洗浄水の供給口と、前記突起と突起の間に形成され、前記供給口から供給された前記洗浄水を一時的に貯留し、前記洗浄水の水流面を、前記湾曲面の全体に亘って前記突起と同じ高さに維持するための洗浄水貯留部とを有する構成としてある。
前記湾曲面は、断面かまぼこ形であってもよいが、請求項２に記載するように、凸状の部分球面とするとよい。この場合は、洗浄水の供給口を前記部分球面の頂部に設ければよい。このようにすれば、洗浄水の供給口を頂部に一つ設けるだけで、当該供給口から流出した洗浄水を部分球面の全体に亘って均一に拡げることができる。
【０００５】
前記突起の高さは、基台の中央から周囲に向けて一様であってもよいが、請求項３に記載するように、前記基台の中央から周囲に向けて徐々に又は段階的に低くなるよう又は高くなるように変化させて形成してもよい。また、前記突起の密度は、請求項４に記載するように、前記基台の中央から周囲に向けて徐々に又は段階的に密になるように又は粗になるように変化させてもよい。
【０００６】
さらに、請求項５に記載するように、前記湾曲面の周縁部を、他の部位よりも鉛直面に近い傾斜角で形成し、この周縁部に前記突起を形成してもよい。
このようにすることで、前記周縁部を使って、靴のつま先部分やかかと部分、側面部分の洗浄が容易になる。
また、請求項６に記載するように、前記湾曲面の一部に突起を有しない平滑部を形成してもよい。
本発明の洗浄器具は、ある程度重量があり、かつ、硬質の材料で形成するのがよく、請求項７に記載するように、大理石や花崗岩、御影石等の石材で形成するのが好ましい。
【発明の効果】
【０００７】
本発明によれば、少量の洗浄水で効果的に靴底や、靴側面及び前後面を効果的に洗浄することができる。また、靴等を突起に軽く接触させて前後又は左右に移動させるだけで、頑固にこびり付いた泥等を洗い落とすことができるため、高い洗浄効果を得ることができる。本発明の洗浄器具は、構成が極めて簡単であるので、低廉な価格で製造することが可能であるほか、故障が生じにくく、長期に亘って高い洗浄効果を維持することが可能である。
【発明を実施するための最良の形態】
【０００８】
以下、本発明の好適な一実施形態を、図面を参照しながら詳細に説明する。
図１（ａ）は、本発明の洗浄器具の一実施形態を示す断面図で、図１（ｂ）はその平面図である。
洗浄器具は、図１に示すように、床面等の平地に載置される円形状の基台１と、この基台１の部分球面状の上面１ａに形成された多数の突起２と、突起２，２の間に形成された窪み３と、基台１の中央に穿設された洗浄水供給孔４と、この洗浄水供給孔４に洗浄水を供給する洗浄水供給源６とから概略構成される。
【０００９】
基台１は、洗浄作業中に靴等の洗浄器具が移動しにくいように、ある程度の重量を有する硬質の材料で形成するのがよく、大理石や花崗岩、御影石等の石材や鉄，銅等の金属で形成するとよい。また、移動しにくいように、基台１の下部を土中又はコンクリート中に埋設したり、基台１を床面等にボルトや接着剤、コンクリート等で固定したり、滑り止め処理を施したりしてもよい。
基台１は軽金属や樹脂等の軽量かつ軟質の材料で形成してもよいが、この場合は、床面等に固定するのが好ましく、かつ、基台１に対して突起２を形成した上面１ａを分離可能として適宜に交換できるようにするのが好ましい。
なお、基台１を、石材や金属といった硬質の材料で形成すれば、靴等の洗浄器具が頑丈なものとなり、丈夫で故障しにくく、寿命が長くなるほか、靴Ｓを基台１に叩きつけて頑固に付着した泥等や目詰まり状態の泥等を落とすことができるようになる。
【００１０】
基台１の大きさは、少なくとも洗浄対象となる靴Ｓよりも大きくするのがよい。また、基台１の形状としては、長方形、菱形、正方形といった矩形状の他、楕円状、不定形状等の種々の形状を選択することができるが、基台１の形状を円形として上面１ａを部分球面とすることで、部分球面の頂部に形成された単一の洗浄水供給孔４から供給された洗浄水を、満遍なく上面１ａの全体に拡げることができるという利点がある。
【００１１】
突起２は、靴底の溝に入り込んだ細かな泥等と接触でき、かつ、靴底を傷つけることがない範囲内で先端を尖らせてもよいが、ある種の靴のように、靴底等を傷める可能性がある場合には、図示の例のように前記先端を面取りしたり、丸みを帯びた形状とする。突起２の配置は、図１（ｂ）では幾何学的なマトリックス状にしているが、洗浄水供給孔４から流出した洗浄水が、図１（ｂ）に示すように蛇行しつつ、可能な限り長い流路を辿って基台１の周縁に達するのであれば、配置形態はこれに限られず、千鳥状や格子状，ランダム状等種々の配置形態を選択することができる。
突起２は、基台１の上面１ａを物理的又は化学的に荒らすことで形成することができる。
【００１２】
洗浄水供給孔４の出口径は特に限定されないが、靴の横幅よりも小さくするのが好ましい。洗浄水供給孔４から供給される洗浄水の圧力は、後述の流量調整バルブ５によって容易に調整することができる。また、洗浄水供給孔４の出口開口部に口径調整用のアタッチメントを着脱自在に取り付けて、このアタッチメントで口径の調整を行うことによっても、水圧調整を行うことができる。
【００１３】
洗浄水供給源６は、洗浄水供給管４ａを介して洗浄水供給孔４に洗浄水を供給できればよく、一般的には水道を用いることができる。流量調整バルブ５は、水道の蛇口部分に設けられたカラン（水道栓）を用いることができるが、流量調整バルブ５をカランとは別に設けてもよい。
なお、洗浄水供給孔４は、上面１ａの中央だけでなく、前記中央と周縁との間の適宜の箇所に一つ又は複数設けてもよい。
【００１４】
突起２，２の間の窪み３は、突起２，２を形成した後に、突起２，２の間に物理的又は化学的手段で形成するものとしてもよいが、突起２，２を形成する際に突起２，２間に残存する隔壁を利用してもよい。また、窪み３は、石や砂が嵌り込んで長期に亘って滞留することがないように、角部のない曲面状に仕上げるのが好ましい。
窪み３は、洗浄水を一時的に貯留することでその流れを妨げ、かつ、洗浄水の表面を波立たせたり、流れに脈動を生じさせたりすることで、突起２，２間を流れる洗浄水が靴に常時又は頻繁に接触するとともに、洗浄効果を高める。
【００１５】
窪み３の深さが深すぎると、石や砂が貯まりやすく、逆に浅すぎると、上記の効果を得ることができなくなる。窪み３の深さ及び大きさは突起２，２の配置（配置形態及び間隔）や形態（高さ，形状及び断面積）に密接に関連する。突起２，２の配置及び形態そのものによって洗浄水の流れが大きく妨げられるのであれば、窪み３の大きさ及び深さはそれほど大きくしなくてもよいが、突起２，２の配置及び形態だけでは洗浄水の流れを妨げる効果が小さい場合には、窪み３の大きさ及び深さを大きくする。
窪み３の具体的な大きさや深さは、形成する突起２の配置及び形態に応じて実験を繰り返し、最適なものを選択するのが好ましい。
【００１６】
上記構成の本発明の洗浄器具の作用を、図２を参照しつつ説明する。
図２（ａ）は、洗浄水を洗浄水供給孔４から流出させた状態を示す部分断面拡大図である。
洗浄水供給孔４から流出した洗浄水Ｗは、その圧力によって突起２を越える高さまで隆起した後、その高さを徐々に減じながら周囲に拡がっていく。洗浄水供給孔４から離れた場所でも、窪み３や突起２，２の配置によって、少ない流量であっても突起２，２の頂部に近い高い水位を維持することができる。
【００１７】
この状態で、図２（ｂ）に示すように、靴Ｓの底を洗浄器具の上面１ａの洗浄水供給口４付近に軽く押し当てると、靴底によって洗浄水Ｗの隆起が押し広げられ、その結果、周囲の水位をさらに上昇させる。これにより、洗浄水は、突起２，２に接している靴底のほぼ全長に亘って、靴底に接した状態又は近接した位置を流れることになる。また、窪み３の効果によって、洗浄水の流れが乱され、物理的作用で靴Ｓの底が洗浄水によって洗浄される。
【００１８】
図２（ｃ）に示すように、靴Ｓを曲面状の上面１ａに沿って前後させることで、靴の全体が満遍なく洗浄水に接することになる。靴に付着した泥等は、洗浄水と接することで靴から剥離しやすくなり、さらに、靴Ｓを前後させることによる突起２，２の頂部と靴との摩擦によって、頑固に付着した靴の泥等がほぼ完全に剥ぎ落とされる。剥ぎ落とされた泥等は、洗浄水とともに基台１の周囲から流れ落ちる。
図２の例では、靴Ｓを前後に移動させて靴底の泥等を洗い落とす場合を説明したが、靴Ｓを左右に移動させて靴底の泥等を洗い落とすようにしてもよい。
また、図３に示すように、基台１の周縁部を利用して、靴Ｓの側面やかかと部分、つま先部分に付着した泥等を洗い落とすことも可能である。
【００１９】
図４は本発明の他の実施形態を示す図である。
図４（ａ）の例では、基台１の上面１ａにおける周縁部１ｃの一部又は全部を、他の部位よりも傾斜角を大きくし、当該部分にも突起２を形成している。このような周縁部１ｃを利用することで、靴Ｓのかかと部分や側面部分の洗浄（擦りつけ）が容易かつ効果的に行えるようになる。
また、図４（ｂ）の例では、基台１の上面１ａにおける周縁部１ｃの一部又は全部を、ほぼ鉛直面として形成し、当該部分にも突起２を形成している。このようにすることで、特に靴Ｓのつまさき部分や側面部分の洗浄（擦りつけ）がより容易かつ効果的に行えるようになる。
【００２０】
本発明の好適な実施形態を説明したが、本発明は上記の実施形態に限定されない。
例えば、上記の説明では靴底の洗浄を中心に説明したが、本発明の洗浄器具は、靴Ｓを傾けることで靴先やかかと、靴側面に付着した泥等の洗い落としにも適用が可能である。また、本発明の靴等の洗浄器具を石材や金属等の硬質の材料で形成すれば、靴等の洗浄器具が頑丈なものとなるので、靴等を上面１ａに叩きつけることで頑固に付着した泥等や目詰まり状態の泥等を落とすことができるようになる。
さらに、上記の説明では洗浄水は水道水であるとして説明したが、洗剤成分を含んだ専用の洗浄水でもよい。
【００２１】
また、突起２の高さは一様でなくてもよく、例えば、中央から周辺に向かうに従って突起２の高さが低くなるよう又は高くなるように変化をつけて形成してもよい。突起２の密度についても同様で、中央から周囲に向けて密になるように又は粗になるようにしてもよい。
また、上記の説明では、上面１ａの全体に亘って突起２を形成するものとしたが、上面１ａの一部、例えば、洗浄水供給孔４の開口の周囲を、部分的に突起２を有しない平滑面として仕上げてもよい。
【図面の簡単な説明】
【００２２】
【図１】図１（ａ）は、本発明の洗浄器具の一実施形態を示す正面図で、図１（ｂ）はその平面図である
【図２】本発明の洗浄器具の作用を説明する図である。
【図３】基台の周縁部を利用して、靴の側面やかかと部分に付着した泥等を洗い落と作用を説明する図である。
【図４】本発明の他の実施形態を説明する部分拡大図である。
【符号の説明】
【００２３】
１      基台
１ａ    上面
１ｂ    底面
１ｃ    周縁部
２      突起
３      窪み（洗浄水貯留部）
４      洗浄水供給孔
４ａ    洗浄水供給管
５      流量調整バルブ
６      洗浄水供給源
【図１】
0005679157.tif 000002
【図２】
0005679157.tif 000003
【図３】
0005679157.tif 000004
【図４】
0005679157.tif 000005